(57)【要約】【課題】被検眼に照射される光のケラレを防止し且つ被検眼の良好な観察を行うことができる細隙灯顕微鏡を提供する。【解決手段】スリット光を出射する細隙灯と、細隙灯から出射されたスリット光を被検眼に向けて偏向する偏向光学素子であって且つ細隙灯よりも上方位置に設けられた偏向光学素子と、対物レンズを有し且つ被検眼を観察するための顕微鏡と、顕微鏡における偏向光学素子よりも上方位置のみに設けられ且つ対物レンズの光軸と平行な照明光軸を有する複数種類の光源であって、光源の種類ごとに互いに異なる種類の光を被検眼に対して照射する複数種類の光源と、を備える。【選択図】図２
2020141998.tif 000002
【特許請求の範囲】
【請求項１】
スリット光を出射する細隙灯と、
前記細隙灯から出射された前記スリット光を被検眼に向けて偏向する偏向光学素子であって且つ前記細隙灯よりも上方位置に設けられた偏向光学素子と、
対物レンズを有し且つ前記被検眼を観察するための顕微鏡と、
前記顕微鏡における前記偏向光学素子よりも上方位置のみに設けられ且つ前記対物レンズの光軸と平行な照明光軸を有する複数種類の光源であって、光源の種類ごとに互いに異なる種類の光を前記被検眼に対して照射する複数種類の光源と、
を備える細隙灯顕微鏡。
【請求項２】
複数種類の前記光源が、前記対物レンズよりも上方位置に設けられている請求項１に記載の細隙灯顕微鏡。
【請求項３】
複数種類の前記光源が、前記被検眼に照射されている前記スリット光の背景を照明するバックグラウンド光を出射する可視光源と、赤外光を出射する赤外光源と、前記被検眼に投与された蛍光剤を励起発光させる励起光を出射する励起光源と、を含む請求項１又は２に記載の細隙灯顕微鏡。
【請求項４】
複数種類の前記光源から出射される前記光の全てが通過する共通レンズを備える請求項１から３のいずれか１項に記載の細隙灯顕微鏡。
【請求項５】
前記顕微鏡に着脱自在に取り付けられ且つ前記被検眼の眼圧を測定するアプラネーショントノメータを備え、
全ての前記光源が、前記対物レンズの光軸方向側から見て、前記アプラネーショントノメータに対して前記対物レンズの光軸方向及び上下方向の双方に垂直な方向に位置ずれしている請求項１から４のいずれか１項に記載の細隙灯顕微鏡。
【請求項６】
前記光源から出射される前記光の光量を調整する光量調整操作を前記光源ごとに受け付ける操作部と、
前記操作部が受け付けた前記光量調整操作に基づき、前記光量調整操作に対応する前記光源から出射される前記光の光量を調整する光源制御部と、
を備える請求項１から５のいずれか１項に記載の細隙灯顕微鏡。
【発明の詳細な説明】
【技術分野】
【０００１】
本発明は、細隙灯を備える細隙灯顕微鏡に関する。
【背景技術】
【０００２】
細隙灯顕微鏡（スリットランプ又はスリットランプマイクロスコープともいう）は、眼科において被検眼の観察に用いられる。この細隙灯顕微鏡は、スリット光（細隙光ともいう）を用いて被検眼の注目部位の光切片を切り取ることによって注目部位の断面を観察したり、この断面の画像を取得したりする。
【０００３】
細隙灯顕微鏡は、照明系及び観察系を備える（特許文献１参照）。照明系は、スリット幅が調整されたスリット光を出射する細隙灯と、細隙灯から出射されたスリット光を被検眼に向けて偏向（反射を含む）するミラー又はプリズム等の偏向光学素子を有する偏向光学系と、を備える。観察系は、照明系からのスリット光の入射（照明）に応じて被検眼にて反射された反射光を、対物レンズを通して接眼部の接眼レンズまで導く顕微鏡を備える。検者は、顕微鏡を通して被検眼の観察像を観察する。
【０００４】
ところで、スリット光だけを被検眼に照射すると、例えばインフォームドコンセント時において顕微鏡で撮影した撮影画像を被検者に提示した場合に、被検者が被検眼のいずれの箇所にスリット光が照射されているのかが判り難いという問題がある。このため、細隙灯顕微鏡にはバックグラウンド光源（バックライト光源ともいう）が設けられている（特許文献２及び３参照）。このバックグラウンド光源から被検眼に向けて出射されるバックグラウンド光（バックライト光ともいう）によって、被検眼に照射されているスリット光の背景が照明される。
【０００５】
特許文献２に記載の細隙灯顕微鏡では、顕微鏡の被検眼に対向する側の前面に複数のバックグラウンド光源を設けている。また、特許文献３に記載の細隙灯顕微鏡では、被検眼に対して斜め方向からバックグラウンド光を照射するバックグラウンド光源を偏向光学系に設けている。
【先行技術文献】
【特許文献】
【０００６】
【特許文献１】特開２０１１−１７７２７３号公報
【特許文献２】特開２００２−１０２１７３号公報
【特許文献３】特許第５７４７９２４号公報
【発明の概要】
【発明が解決しようとする課題】
【０００７】
ところで、特許文献２に記載の細隙灯顕微鏡では、顕微鏡の前面の全領域に複数のバックグラウンド光源が設けられているので、顕微鏡と偏向光学系の偏向光学素子との位置関係によっては１又は複数のバックグラウンド光源から出射されたバックグラウンド光が偏向光学素子等によりケラレてしまうおそれがある。
【０００８】
また、特許文献３に記載の細隙灯顕微鏡では、バックグラウンド光源により、被検眼に対して斜め方向からバックグラウンド光を照射するので、被検眼の観察面に照度斑が生じるおそれがある。
【０００９】
本発明はこのような事情に鑑みてなされたものであり、被検眼に照射される光のケラレを防止し且つ被検眼の良好な観察を行うことができる細隙灯顕微鏡を提供することを目的とする。
【課題を解決するための手段】
【００１０】
本発明の目的を達成するための細隙灯顕微鏡は、スリット光を出射する細隙灯と、細隙灯から出射されたスリット光を被検眼に向けて偏向する偏向光学素子であって且つ細隙灯よりも上方位置に設けられた偏向光学素子と、対物レンズを有し且つ被検眼を観察するための顕微鏡と、顕微鏡における偏向光学素子よりも上方位置のみに設けられ且つ対物レンズの光軸と平行な照明光軸を有する複数種類の光源であって、光源の種類ごとに互いに異なる種類の光を被検眼に対して照射する複数種類の光源と、を備える。
【００１１】
この細隙灯顕微鏡によれば、複数種類の光源から出射される光を、偏向光学素子によりケラレることなく被検眼に対して水平（略水平）に入射させることができる。
【００１２】
本発明の他の態様に係る細隙灯顕微鏡において、複数種類の光源が、対物レンズよりも上方位置に設けられている。これにより、複数種類の光源から出射される光が、偏向光学素子によりケラレることが防止される。
【００１３】
本発明の他の態様に係る細隙灯顕微鏡において、複数種類の光源が、被検眼に照射されているスリット光の背景を照明するバックグラウンド光を出射する可視光源と、赤外光を出射する赤外光源と、被検眼に投与された蛍光剤を励起発光させる励起光を出射する励起光源と、を含む。可視光源からバックグラウンド光を出射することでスリット光の背景が照明され、赤外光源から赤外光を出射することで被検眼のマイボーム腺を鮮明に観察することができ、さらに励起光源から励起光を出射することで被検眼の蛍光観察が可能となる。
【００１４】
本発明の他の態様に係る細隙灯顕微鏡において、複数種類の光源から出射される光の全てが通過する共通レンズを備える。これにより、複数種類の光源を密に配置することができると共に、各光源で被検眼に対して均一な照明を行うことができる。
【００１５】
本発明の他の態様に係る細隙灯顕微鏡において、顕微鏡に着脱自在に取り付けられ且つ被検眼の眼圧を測定するアプラネーショントノメータを備え、全ての光源が、対物レンズの光軸方向側から見て、アプラネーショントノメータに対して対物レンズの光軸方向及び上下方向の双方に垂直な方向に位置ずれしている。これにより、複数種類の光源から出射される光が、アプラネーショントノメータによりケラレることが防止される。
【００１６】
本発明の他の態様に係る細隙灯顕微鏡において、光源から出射される光の光量を調整する光量調整操作を光源ごとに受け付ける操作部と、操作部が受け付けた光量調整操作に基づき、光量調整操作に対応する光源から出射される光の光量を調整する光源制御部と、を備える。これにより、光源ごとの光量調整操作を簡単に実行することができる。
【発明の効果】
【００１７】
本発明は、被検眼に照射される光のケラレを防止し且つ被検眼の良好な観察を行うことができる細隙灯顕微鏡を提供する。
【図面の簡単な説明】
【００１８】
【図１】細隙灯顕微鏡の側面図である。
【図２】上部光源を前方向側（被検者側）から見た正面図である。
【図３】光源操作部及び制御装置の概略図である。
【図４】別実施形態１の細隙灯顕微鏡の上部光源の上面概略図である。
【図５】別実施形態２の細隙灯顕微鏡の側面図である。
【図６】別実施形態２の上部光源を前方向側（被検者側）から見た正面図である。
【発明を実施するための形態】
【００１９】
［細隙灯顕微鏡の構成］
図１は、細隙灯顕微鏡１０の側面図である。図１に示すように、細隙灯顕微鏡１０は、所謂Ｚｅｉｓｓ式（Ｌｉｔｔｍａｎ式）であり、ベース１２と、顔支持部材１４と、電動駆動部１６と、可動テーブル１８と、操作レバー２０と、第１の支持部材２２と、顕微鏡支持アーム２４と、回動軸２６と、第２の支持部材２８と、回動軸３０と、照明系３２と、顕微鏡３４と、上部光源３６と、光源操作部３８と、を備える。
【００２０】
ベース１２は、不図示の検眼テーブル上に載置されている。このベース１２の上面で且つ被検者（被検眼Ｅ側）の前端部には顔支持部材１４が設けられている。また、ベース１２の上面には、電動駆動部１６及び光源操作部３８が設けられていると共に、可動テーブル１８が水平方向（前後方向及び左右方向）に移動自在に保持されている。なお、前後方向は被検者に近づく前方向と被検者から遠ざかる後方向であり、左右方向は被検者の眼幅方向である。
【００２１】
顔支持部材１４は、ベース１２に固定され且つ上下方向に延びた一対の支柱１４ａと、一対の支柱１４ａの上下方向の中間部に設けられた顎受１４ｂと、一対の支柱１４ａの上下方向の上端部に設けられた額当１４ｃと、を有する。被検者が顎受１４ｂに顎を載せると共に額当１４ｃに額を当てることで、被検者の顔が顔支持部材１４により支持される。これにより、被検眼Ｅの位置が固定される。
【００２２】
電動駆動部１６は、ベース１２上で可動テーブル１８を水平方向（前後方向及び左右方向）に移動させる移動機構である。また、可動テーブル１８の上面で且つ後方向側（検者側）の後端部には操作レバー２０が設けられている。さらに、可動テーブル１８の上面には、第１の支持部材２２が上下方向に移動可能（昇降可能）に設けられている。
【００２３】
電動駆動部１６は、不図示の複数のモータと、各モータの回転をそれぞれ水平方向及び上下方向の駆動力に変換する不図示の駆動伝達機構と、を備えている。この電動駆動部１６は、操作レバー２０の操作に応じて可動テーブル１８を水平方向に移動させると共に、第１の支持部材２２を上下方向に移動させる。これにより、被検眼Ｅに対する第１の支持部材２２（照明系３２及び顕微鏡３４）の位置調整が可能となる。
【００２４】
操作レバー２０は、第１の支持部材２２（照明系３２及び顕微鏡３４）を水平方向と上下方向とにそれぞれ手動で移動操作するための操作部材である。例えば、操作レバー２０を前後方向又は左右方向に傾倒操作することで、電動駆動部１６が可動テーブル１８を前後方向又は左右方向に移動させる。また、操作レバー２０の軸線周りの回動操作により、電動駆動部１６が第１の支持部材２２を上下方向に移動させる。なお、操作レバー２０の頂部には、撮影等に用いるスイッチ２０ａが設けられている。
【００２５】
第１の支持部材２２には顕微鏡支持アーム２４が配設されている。この顕微鏡支持アーム２４は、水平アーム部２４ａと鉛直アーム部２４ｂとを有しており、略Ｌ字状に形成されている。
【００２６】
水平アーム部２４ａの前方向側の端部は、上下方向に延びた回動軸２６を介して、第１の支持部材２２上に水平回動可能に取り付けられている。また、この水平アーム部２４ａ上には、回動軸２６の延長線上に位置する回動軸３０を介して、第２の支持部材２８が水平回動可能に取り付けられている。
【００２７】
なお、回動軸２６を中心とした顕微鏡支持アーム２４の水平回動、及び回動軸３０を中心とした第２の支持部材２８の水平回動は、検者の手動操作で行ったり或いは不図示の電動回動機構を用いて電動で行ったりしてもよい。
【００２８】
鉛直アーム部２４ｂの上端部には顕微鏡３４（観察系ともいう）が取り付けられている。また、第２の支持部材２８には照明系３２が設けられている。
【００２９】
照明系３２は、細隙灯４４及び偏向光学系４６を備える。細隙灯４４は、偏向光学系４６に向けてスリット光を出射する。偏向光学系４６は、細隙灯４４の上方位置に設けられており、且つ細隙灯４４よりも上方位置に設けられた偏向光学素子４８を有する。偏向光学素子４８は、例えばミラー（反射鏡）又はプリズム等であり、細隙灯４４から出射されたスリット光を被検眼Ｅに向けて偏向する。なお、本実施形態では偏向光学素子としてプリズムを用いる。これにより、被検眼Ｅに対してスリット光が照射される。なお、細隙灯４４及び偏向光学系４６は図１に示したものに限定されるものでなく、Ｚｅｉｓｓ式の細隙灯顕微鏡１０で用いられるものであれば、その形状、構造、及び配置は特に限定されない。
【００３０】
照明系３２は、回動軸３０を中心として第２の支持部材２８と一体に水平回動される。これにより、被検眼Ｅに対するスリット光の照射方向を調整することができる。
【００３１】
顕微鏡３４は、照明系３２からのスリット光が照射されている被検眼Ｅの観察、或いは後述の上部光源３６からの各種光が照射されている被検眼Ｅの観察に用いられる。この顕微鏡３４の前方向側（被検眼Ｅ側）の前端部には対物レンズ５０が設けられ、且つ後方向側（検者側）の後端部には接眼レンズ５２が設けられている。図１中の符号ＬＡは、顕微鏡３４の対物レンズ５０の光軸（観察軸）である。なお、顕微鏡３４内の光学系の構成については公知技術であるので、ここでは詳細な説明は省略する。
【００３２】
顕微鏡３４は、回動軸２６を中心として顕微鏡支持アーム２４と一体に水平回動される。これにより、顕微鏡３４による被検眼Ｅの観察方向を調整することができる。また、顕微鏡３４には、顕微鏡３４の光学系を介して被検眼Ｅを撮影するデジタルカメラ５６が設けられている。
【００３３】
顕微鏡３４の前端部の上面には、詳しくは後述するが、被検眼Ｅに対して互いに異なる３種類の光（可視光、赤外光、及び励起光）を選択的に照射する上部光源３６が設けられている。なお、本実施形態の細隙灯顕微鏡１０はＺｅｉｓｓ式であるので、照明系３２が偏向光学素子４８の上方に設けられている公知のＨａａｇ式（Ｇｏｌｄｍａｎｎ式）とは異なり、顕微鏡３４の前端部の上面側に上部光源３６を設置可能なスペースが確保される。
【００３４】
ベース１２の上面で後方向側（検者側）の後端部には、光源操作部３８が設けられている。この光源操作部３８は、詳しくは後述するが、検者による細隙灯４４のオンオフ操作及び光量調整操作と、上部光源３６のオンオフ操作及び光量調整操作と、に用いられる。
【００３５】
図２は、上部光源３６を前方向側（被検者側）から見た正面図である。図２に示すように、上部光源３６は、顕微鏡３４の前端部の上面に設けられている。このため、上部光源３６は、偏向光学素子４８及び対物レンズ５０の双方よりも上方位置に設けられている。この上部光源３６には、可視光源６２、赤外光源６４（赤外線光源ともいう）、及び励起光源６６（蛍光用光源ともいう）を含む３種類の光源が設けられている。これら可視光源６２、赤外光源６４、及び励起光源６６は、本発明の複数種類の光源に相当する。
【００３６】
可視光源６２、赤外光源６４、及び励起光源６６は、例えばＬＥＤ（light emitting diode）光源が用いられる。そして、可視光源６２、赤外光源６４、及び励起光源６６は、左右方向に沿って一列に並べて設けられており、各光源が対物レンズ５０の光軸ＬＡに対して平行な照明光軸ＬＢを有している。これにより、可視光源６２、赤外光源６４、及び励起光源６６から出射される光を、被検眼Ｅに対して水平（略水平）に入射させることができる。
【００３７】
可視光源６２は、被検眼Ｅに照射されているスリット光の背景を照明するために、例えば白色光等の可視光の波長域の光であるバックグラウンド光を被検眼Ｅに照射する。これにより、被検眼Ｅに照射されているスリット光の背景がバックグラウンド光により照明される。その結果、例えばインフォームドコンセント時においてデジタルカメラ５６で撮影した被検眼Ｅの撮影画像を被検者に提示する場合に、被検眼Ｅのいずれの箇所にスリット光が照射されているのかを被検者に容易に認識させることができる。また、可視光源６２（照明光軸ＬＢ）は、顕微鏡３４（光軸ＬＡ）の同軸近傍に配置されているので、スリット光の背景をバックグラウンド光により照明する際に照明ムラの発生が抑えられる。
【００３８】
赤外光源６４は、赤外波長域の光である赤外光（近赤外光を含む）を被検眼Ｅに照射する。このように被検眼Ｅを赤外光で照明することで、被検眼Ｅのマイボーム腺を鮮明に観察することができる。
【００３９】
励起光源６６は、公知の蛍光剤であるフルオレセインを励起発光させる励起光（例えば波長４７０ｎｍの青色光）を被検眼Ｅに照射する。蛍光剤が投与されている被検眼Ｅに対して、励起光源６６から励起光を照射して蛍光剤を励起発光させることで、被検眼Ｅの蛍光観察及び蛍光撮影が可能となる。その結果、被検眼Ｅの表面状態を容易に観察することができる。この際に、本実施形態では上部光源３６に蛍光観察専用の励起光源６６を設けることで、従来の細隙灯顕微鏡１０に設けられているような白色光を励起光に変換するフィルター機構が不要となり、省スペース化及び省コスト化が図れる。
【００４０】
このような可視光源６２、赤外光源６４、及び励起光源６６は、顕微鏡３４における対物レンズ５０の上方位置のみ、すなわち偏向光学素子４８よりも上方位置のみに設けられている。このため、顕微鏡３４と偏向光学系４６（偏向光学素子４８）との位置関係に関係なく、可視光源６２、赤外光源６４、及び励起光源６６からそれぞれ出射される光は偏向光学素子４８の上方空間を通って被検眼Ｅに照射される。その結果、可視光源６２、赤外光源６４、及び励起光源６６からそれぞれ出射される光が、偏向光学素子４８によりケラレることが防止される。
【００４１】
なお、赤外光源６４から赤外光が出射されている場合及び励起光源６６から励起光が出射されている場合には、細隙灯４４からのスリット光の出射は行われない。
【００４２】
図３は、光源操作部３８及び制御装置４０の概略図である。図３に示すように、光源操作部３８は、本発明の操作部に相当するものであり、細隙灯光源操作部７０と、可視光源操作部７２と、赤外光源操作部７４と、励起光源操作部７６と、を備える。
【００４３】
細隙灯光源操作部７０は、細隙灯４４のオンオフ操作と、細隙灯４４から出射されるスリット光の光量調整操作と、を受け付ける。可視光源操作部７２は、可視光源６２のオンオフ操作と、可視光源６２から出射される可視光の光量調整操作と、を受け付ける。赤外光源操作部７４は、赤外光源６４のオンオフ操作と、赤外光源６４から出射される赤外光の光量調整操作と、を受け付ける。励起光源操作部７６は、励起光源６６のオンオフ操作と、励起光源６６から出射される励起光の光量調整操作と、を受け付ける。
【００４４】
制御装置４０は、例えば可動テーブル１８内に設けられており（細隙灯顕微鏡１０の外部でも可）、細隙灯顕微鏡１０の各部の動作を統括的に制御する。この制御装置４０は、例えばパーソナルコンピュータのような演算装置であり、各種のプロセッサ（Processor）及びメモリ等から構成された演算回路を備える。各種のプロセッサには、ＣＰＵ（Central Processing Unit）、ＧＰＵ（Graphics Processing Unit）、ＡＳＩＣ（Application Specific Integrated Circuit）、及びプログラマブル論理デバイス［例えばＳＰＬＤ（Simple Programmable Logic Devices）、ＣＰＬＤ（Complex Programmable Logic Device）、及びＦＰＧＡ（Field Programmable Gate Arrays）］等が含まれる。なお、制御装置４０の各種機能は、１つのプロセッサにより実現されてもよいし、同種または異種の複数のプロセッサで実現されてもよい。
【００４５】
制御装置４０は、操作レバー２０の前後方向又は左右方向の傾倒操作に応じて、電動駆動部１６を駆動して可動テーブル１８を前後方向又は左右方向に移動させ、且つ操作レバー２０の軸線周りの回動操作に応じて、電動駆動部１６を駆動して第１の支持部材２２を上下方向に移動させる。
【００４６】
また、制御装置４０は、光源操作部３８に対するオンオフ操作及び光量調整操作の入力に応じて、細隙灯４４、可視光源６２、赤外光源６４、及び励起光源６６の各光源のオンオフと、各光源から出射される光の光量調整と、を制御する。これにより、光源操作部３８が受け付けたオンオフ操作及び光量調整操作に基づき、オンオフ操作に対応する光源のオンオフが切り替えられると共に、光量調整操作に対応する光源から出射される光の光量が調整される。このため、制御装置４０は、本発明の光源制御部として機能する。このように本実施形態では、検者が光源操作部３８を操作することで、光源ごとに独立してオンオフと光量調整とが可能になる。これにより、光源の切替及び光量調整等を、手動操作（例えばフィルター切り替え等）で行う場合と比較して簡単に実行することができる。
【００４７】
［本実施形態の効果］
以上のように本実施形態では、可視光源６２、赤外光源６４、及び励起光源６６を、顕微鏡３４における偏向光学素子４８よりも上方位置のみに設けているので、各光源から出射された光が偏向光学素子４８によりケラレることが防止される。また、本実施形態では、可視光源６２、赤外光源６４、及び励起光源６６が対物レンズ５０の光軸ＬＡと平行な照明光軸ＬＢを有しているので、各光源から出射される光を被検眼Ｅに対して水平（略水平を含む）に入射させることができ、被検眼Ｅの観察面に照度斑が生じることが防止される。その結果、上部光源３６から被検眼Ｅに照射される光のケラレを防止し且つ被検眼Ｅの良好な観察を行うことができる。
【００４８】
［別実施形態１］
図４は、別実施形態１の細隙灯顕微鏡１０の上部光源３６Ａの上面概略図である。図４に示すように、別実施形態１の細隙灯顕微鏡１０は、上部光源３６の代わりに上部光源３６Ａを備える点を除けば上記実施形態の細隙灯顕微鏡１０と基本的に同じ構成である。このため、上記実施形態と機能又は構成上同一のものについては、同一符号を付してその説明は省略する。
【００４９】
上部光源３６Ａは、既述の可視光源６２、赤外光源６４、及び励起光源６６の他に、各光源から出射される光の全てが通過する共通レンズ８０を備えている。これにより、可視光源６２、赤外光源６４、及び励起光源６６にそれぞれ個別にレンズを配置する場合と比較して、可視光源６２、赤外光源６４、及び励起光源６６を密に配置することができる。また、上部光源３６Ａに３種類の光源（可視光源６２、赤外光源６４、及び励起光源６６）を設けた場合であっても、各光源で被検眼Ｅに対して均一な照明を行うことができる。
【００５０】
［別実施形態２］
図５は、別実施形態２の細隙灯顕微鏡１０の側面図である。図５に示すように、別実施形態２の細隙灯顕微鏡１０は、アプラネーショントノメータ９０が顕微鏡３４に対して着脱自在に取り付けられている点と、上部光源３６Ｂを備える点と、を除けば上記実施形態の細隙灯顕微鏡１０と基本的に同じ構成である。このため、上記実施形態と機能又は構成上同一のものについては、同一符号を付してその説明は省略する。
【００５１】
アプラネーショントノメータ９０は、被検眼Ｅに接触してその眼圧を測定する接触式の眼圧検査器であり、メジャリングプリズム９０ａと加圧アーム９０ｂとトノメータ本体９０ｃと支持部９０ｄとを備える。なお、アプラネーショントノメータ９０の各部の詳細について公知技術であるので、ここでは具体的な説明は省略する。このアプラネーショントノメータ９０は、顕微鏡３４に取り付けられたトノメータマウント９２に対して着脱自在に取り付けられる。
【００５２】
トノメータマウント９２は、上部光源３６Ｂの上面に設けられている。換言すると、上部光源３６は、顕微鏡３４の前端部の上面と、トノメータマウント９２との間に設けられている。このトノメータマウント９２は、対物レンズ５０と被検眼Ｅとの間（より具体的には偏向光学素子４８と被検眼Ｅとの間）にメジャリングプリズム９０ａが配置されるように、アプラネーショントノメータ９０を支持する。
【００５３】
図６は、別実施形態２の上部光源３６Ｂを前方向側（被検者側）から見た正面図である。図６に示すように、顕微鏡３４のトノメータマウント９２にアプラネーショントノメータ９０が取り付けられていると、上部光源３６Ｂの一部がアプラネーショントノメータ９０の後方に隠れてしまう。
【００５４】
そこで、別実施形態２の上部光源３６Ｂでは、可視光源６２、赤外光源６４、及び励起光源６６の全てが、対物レンズ５０の光軸方向側から見て、アプラネーショントノメータ９０と非重複になるように上部光源３６Ｂに設けられている。すなわち、可視光源６２、赤外光源６４、及び励起光源６６の全てが、対物レンズ５０の光軸方向側から見て、アプラネーショントノメータ９０に対して左右方向（対物レンズ５０の光軸方向と上下方向との双方に垂直な方向）に位置ずれしている。これにより、アプラネーショントノメータ９０を顕微鏡３４に取り付けた場合であっても、可視光源６２、赤外光源６４、及び励起光源６６からそれぞれ出射される光がアプラネーショントノメータ９０により遮られること（ケラレること）が防止される。
【００５５】
［その他］
上記各実施形態では、可視光源６２、赤外光源６４、及び励起光源６６の各光源が顕微鏡３４における対物レンズ５０よりも上方位置に設けられているが、少なくとも偏向光学素子４８よりも上方位置であればよく、例えば対物レンズ５０の左右の側方位置に設けられていてもよい。この場合、顕微鏡３４の上面以外に各光源が設けられていてもよい。また、上記各実施形態では、各光源が左右方向に沿って一列に並べて設けられているが、各光源の配置パターンは特に限定はされない。
【００５６】
上記各実施形態の上部光源３６，３６Ａ，３６Ｂ（可視光源６２、赤外光源６４、及び励起光源６６）は、被検眼Ｅに対して互いに異なる３種類の光（可視光、赤外光、及び励起光）を選択的に照射しているが、２種類以上の光源から同時に光を被検眼Ｅに照射してもよい。例えば上部光源３６に赤色光源、緑色光源、及び青色光源が設けられている場合には、各色光源の光量を適宜調整することで、被検眼Ｅに照射される光の色調を任意に調整することができる。
【００５７】
上記各実施形態では、上部光源３６，３６Ａ，３６Ｂに可視光源６２、赤外光源６４、及び励起光源６６がそれぞれ１つずつ設けられているが、それぞれ２以上設けられていてもよい。
【００５８】
上記各実施形態では、上部光源３６，３６Ａ，３６Ｂに可視光源６２、赤外光源６４、及び励起光源６６の３種類の光源が設けられているが、光源の種類は２種類又は４種類以上であってもよい。
【符号の説明】
【００５９】
１０…細隙灯顕微鏡，
３２…照明系，
３４…顕微鏡，
３６，３６Ａ，３６Ｂ…上部光源，
３８…光源操作部，
４０…制御装置，
４４…細隙灯，
４６…偏向光学系，
４８…偏向光学素子，
５０…対物レンズ，
６２…可視光源，
６４…赤外光源，
６６…励起光源，
７２…可視光源操作部，
７４…赤外光源操作部，
７６…励起光源操作部，
８０…共通レンズ，
９０…アプラネーショントノメータ
【図１】
2020141998.tif 000003
【図２】
2020141998.tif 000004
【図３】
2020141998.tif 000005
【図４】
2020141998.tif 000006
【図５】
2020141998.tif 000007
【図６】
2020141998.tif 000008